(57)【要約】【課題】着信転送動作時に着信転送元に対するテレフォニーサービスを行うことができる通信制御システムを提供する。【解決手段】ゲートキーパ装置１０１は、発呼装置からの参加要求に応答して、着信転送先通知部２０６が、着信転送先記憶部２０５から着信装置における接続不可状態に応じた転送先を取り出して呼接続制御送受信部２０３を介して発呼装置に通知する。発呼装置は、着信装置から接続不可状態を受けて着信転送先を決定し、着信転送先と接続するためにゲートキーパ装置１０１へ参加要求を行う時に、着信転送であること及び着信転送元をゲートキーパ装置１０１に通知する。ゲートキーパ装置１０１では、テレフォニーサービス処理部２０７が、受信した着信転送元に対してテレフォニーサービスを実行する。【選択図】      図２
2005026934.tif 000002
【特許請求の範囲】
【請求項１】
発呼装置と、前記発呼装置から着信を受ける着信装置と、前記発呼装置と前記着信装置とを接続するためのアドレス管理を行うゲートキーパ装置と、を具備する通信システムにおいて、前記ゲートキーパ装置は、前記発呼装置からの参加要求に応答して前記着信装置における接続不可状態に応じた転送先を前記発呼装置に通知する転送先通知手段を備え、前記発呼装置は、接続不可状態に応じた転送先を前記ゲートキーパ装置から受ける転送先受信手段と、前記着信装置から接続できない旨の応答とその接続不可状態を受信する応答受信手段と、受信した接続不可状態と前記受信した転送先とから着信転送先を決定する転送先決定手段と、前記着信転送先に接続するために前記ゲートキーパ装置に参加要求を行う時に着信転送であること及び着信転送元が前記着信装置であることを前記ゲートキーパ装置に通知する転送元通知手段と、を備えることを特徴とする通信制御システム。
【請求項２】
前記ゲートキーパ装置は、受信した着信転送元の前記着信装置に対して発信規制処理又は課金処理又は番号付加又は削除の処理を行う処理手段を備えることを特徴とする請求項１記載の通信制御システム。
【請求項３】
前記接続不可状態は、電話中、着信に対する無応答によるタイムオーバー、無線端末装置が圏外であることの少なくともいずれか一つを区別するよう管理されることを特徴とする請求項１又は請求項２に記載の通信制御システム。
【請求項４】
前記ゲートキーパ装置は、転送した回数を計数する転送回数計数手段を有し、転送回数に制限を設けることを特徴とする請求項１から請求項３のいずれかに記載の通信制御システム。
【請求項５】
前記ゲートキーパ装置は、転送回数に制限をかけた場合に、最初の転送元である前記着信装置のアドレスを前記発呼装置に通知する通知手段を備えることを特徴とする請求項４記載の通信制御システム。
【請求項６】
前記発呼装置は、転送した回数を計数する転送回数計数手段を有し、転送回数に制限を設けることを特徴とする請求項１から請求項３のいずれかに記載の通信制御システム。
【請求項７】
アドレス管理を行うゲートキーパ装置から着信装置における接続不可状態に応じたそれぞれの転送先を受信する転送先受信手段と、前記着信装置から接続できない旨の応答とその接続不可状態を受信する応答受信手段と、受信した接続不可状態と前記受信した転送先とから着信転送先を決定する転送先決定手段と、前記着信転送先に接続するために前記ゲートキーパ装置に参加要求を行う時に着信転送であること及び着信転送元が前記着信装置であることを前記ゲートキーパ装置に通知する転送元通知手段と、を備えることを特徴とする通信端末装置。
【請求項８】
通信端末の着信時における接続不可状態に対応して予め設定された着信転送先情報を記憶する着信転送先記憶部を有し、通信端末である発呼装置から接続するための参加要求を受信する受信手段と、前記参加要求に応答して着信装置の着信転送先情報を前記着信転送先記憶部から取り出して通知する転送先通知手段と、を備えることを特徴とするゲートキーパ装置。
【請求項９】
前記発呼装置から着信転送であること及び着信転送元の通知を受けて前記着信転送元に対して発信規制処理を行う発信規制手段を備えることを特徴とする請求項８記載のゲートキーパ装置。
【請求項１０】
前記発呼装置から着信転送であること及び着信転送元の通知を受けて前記着信転送元に対して課金処理を行う課金手段を備えることを特徴とする請求項８又は請求項９に記載のゲートキーパ装置。
【請求項１１】
前記発呼装置から着信転送であること及び着信転送元の通知を受けて前記着信転送元に対して番号付加又は削除の処理を行う番号付加削除手段を備えることを特徴とする請求項８から請求項１０のいずれかに記載のゲートキーパ装置。
【請求項１２】
発呼装置と、前記発呼装置から着信を受ける着信装置と、前記発呼装置と前記着信装置とを接続するためのアドレス管理を行うゲートキーパ装置と、を具備する通信システムにおいて、前記ゲートキーパ装置が、前記発呼装置からの参加要求に応答して前記着信装置における接続不可状態に応じた転送先を前記発呼装置に通知する転送先通知ステップを備え、前記発呼装置が、接続不可状態に応じた転送先を前記ゲートキーパ装置から受ける転送先受信ステップと、前記着信装置から接続できない旨の応答とその接続不可状態を受信する応答受信ステップと、受信した接続不可状態と前記受信した転送先とから着信転送先を決定する転送先決定ステップと、前記着信転送先に接続するために前記ゲートキーパ装置に参加要求を行う時に着信転送であること及び着信転送元が前記着信装置であることを前記ゲートキーパ装置に通知する転送元通知ステップと、を備えることを特徴とする通信制御方法。
【請求項１３】
アドレス管理を行うゲートキーパ装置から着信装置における接続不可状態に応じたそれぞれの転送先を受信する転送先受信ステップと、前記着信装置から接続できない旨の応答とその接続不可状態を受信する応答受信ステップと、受信した接続不可状態と前記受信した転送先とから着信転送先を決定する転送先決定ステップと、前記着信転送先に接続するために前記ゲートキーパ装置に参加要求を行う時に着信転送であること及び着信転送元が前記着信装置であることを前記ゲートキーパ装置に通知する転送元通知ステップと、を備えることを特徴とする通信端末装置の制御方法。
【請求項１４】
通信端末の着信時における接続不可状態に対応して予め設定された転送先情報を記憶する転送先記憶ステップと、通信端末である発呼装置から接続するための参加要求を受信する受信ステップと、前記参加要求に応答して前記転送先記憶ステップで記憶した前記転送先情報の中から着信装置の転送先情報を取り出して通知する転送先通知ステップと、前記発呼装置から着信転送であること及び着信転送元の通知を受けて前記着信転送元に対して発信規制処理又は課金処理又は番号付加又は削除の処理を行う処理ステップと、を備えることを特徴とするゲートキーパ装置の制御方法。
【発明の詳細な説明】
【０００１】
【発明の属する技術分野】
本発明は、ＴＴＣ標準ＪＴ−Ｈ３２３又はＩＴＵ−Ｔ勧告Ｈ．３２３に基づくマルチメディア通信システムにおいて、ある端末への着信が接続不可能な状態にある場合の着信転送制御に関する。
【０００２】
【従来の技術】
従来、ＴＴＣ標準ＪＴ−Ｈ３２３又はＩＴＵ−Ｔ勧告Ｈ．３２３に基づくマルチメディア通信システムにおける着信転送方式としては、非特許文献１及び非特許文献２で公開されているものがある。
【０００３】
図１２は、従来のマルチメディア通信システムの構成の一例を示すシステム図である。図１２に示すように、マルチメディア通信システム１０は、ゲートキーパ装置１１と、エンドポイント装置１２〜１４（図１２の例の場合）で構成され、それぞれＬＡＮに接続されている。ゲートキーパ装置１１は、各エンドポイント装置間の呼制御を行うとともにエンドポイント装置の登録、エンドポイント装置のアドレスの管理、通信を行うための帯域幅の管理、通信を開始する場合の許可の制御を行う。エンドポイント装置１２〜１４は、Ｈ．３２３によるマルチメディア通信システムに対応する端末であり、ＩＰ電話機、パソコン、及びゲートウェイ等である。
【０００４】
次に、従来のマルチメディア通信システム１０における着信転送動作について、図１２、図１３及び図１４を参照して説明する。図１３及び図１４は、従来のマルチメディア通信システムの動作を説明するためのシーケンス図である。図１３は、電話中などにより着信できない場合のシーケンス図であり、図１４は、着信に応答しないなどの一旦着信する場合のシーケンス図である。図１３及び図１４において、エンドポイント装置の動作はステップＥの符号を付して示され、ゲートキーパ装置の動作はステップＧの符号を付して示される。
【０００５】
エンドポイント装置１２がエンドポイント装置１３に対して呼出をかけた時に、着信エンドポイント装置１３が電話中などにより着信できないために他のエンドポイント装置へ転送される場合の動作を説明する。発呼エンドポイント装置１２は、自身のエイリアスアドレス（電話番号等）と着信エンドポイント装置１３のエイリアスアドレスを含んだＨ．３２３の参加要求（ＡＲＱ）メッセージをゲートキーパ装置１１へ送信する（ステップＥ１）。ゲートキーパ装置１１は、受け取った着信エンドポイント装置１３のエイリアスアドレスを基にＩＰアドレスを読み出して、着信エンドポイント装置１３のＩＰアドレスを含んだＨ．３２３の参加確認（ＡＣＦ）メッセージを発呼エンドポイント装置１２へ送信する（ステップＧ２）。次に、発呼エンドポイント装置１２は、Ｈ．３２３の呼設定（ＳＥＴＵＰ）メッセージを着信エンドポイント装置１３へ送信する（ステップＥ３）。
【０００６】
着信エンドポイント装置１３は、着信できない状態の場合にその理由を示す理由表示値を読み出し、自ら管理する理由表示値に応じた着信転送先（この場合は着信転送先エンドポイント装置１４）を決定する。着信エンドポイント装置１３は、着信できない状態であることとその理由を示す理由表示値と着信転送先エンドポイント装置１４のエイリアスアドレスとを含んだＨ．３２３のファシリティ（ＦＡＣＩＬＩＴＹ）メッセージを発呼エンドポイント装置１２へ送信する（ステップＥ４）。発呼エンドポイント装置１２は、メッセージを受け取ったことを示す内容を含んだＨ．３２３のファシリティ（ＦＡＣＩＬＩＴＹ）メッセージを着信エンドポイント装置１３へ送信する（ステップＥ５）。次に、発呼エンドポイント装置１２は、着信エンドポイント装置１３との接続を終了するため、Ｈ．３２３の解放完了（ＲＥＬ＿ＣＯＭＰ）を着信エンドポイント装置１３へ送信する（ステップＥ６）。また、発呼エンドポイント装置１２は、Ｈ．３２３の離脱要求（ＤＲＱ）メッセージをゲートキーパ装置１１へ送信する（ステップＥ７）。ゲートキーパ装置１１は、Ｈ．３２３の離脱確認（ＤＣＦ）メッセージを発呼エンドポイント装置１２へ送信する（ステップＧ８）。
【０００７】
次に、発呼エンドポイント装置１２は、着信エンドポイント装置１３から通知された着信転送先エンドポイント装置１４を新しく呼び出すために、自身のエイリアスアドレスと着信転送先エンドポイント装置１４のエイリアスアドレスを含んだＨ．３２３の参加要求（ＡＲＱ）メッセージをゲートキーパ装置１１へ送信する（ステップＥ９）。ゲートキーパ装置１１は、受け取った着信転送先エンドポイント装置１４のエイリアスアドレスを基にＩＰアドレスを読み出して、着信転送先エンドポイント装置１４のＩＰアドレスを含んだＨ．３２３の参加確認（ＡＣＦ）メッセージを発呼エンドポイント装置１２へ送信する（ステップＧ１０）。次に、発呼エンドポイント装置１２は、Ｈ．３２３の呼設定（ＳＥＴＵＰ）メッセージを着信転送先エンドポイント装置１４へ送信する（ステップＥ１１）。
【０００８】
着信転送先エンドポイント装置１４は、Ｈ．３２３の呼設定受付（ＣＡＬＬ  ＰＲＯＣ）メッセージを発呼エンドポイント装置１２へ送信し（ステップＥ１２）、自身のエイリアスアドレスを含んだＨ．３２３の参加要求（ＡＲＱ）メッセージをゲートキーパ装置１１へ送信する（ステップＥ１３）。ゲートキーパ装置１１は、Ｈ．３２３の参加確認（ＡＣＦ）メッセージを着信転送先エンドポイント装置１４へ送信する（ステップＧ１４）。着信転送先エンドポイント装置１４は、Ｈ．３２３の呼出（ＡＬＥＲＴ）メッセージを発呼エンドポイント装置１２へ送信する（ステップＥ１５）。この時点で、着信転送先エンドポイント装置１４は着信状態となる。着信に対して応答操作がなされると、着信転送先エンドポイント装置１４は、Ｈ．３２３の応答（ＣＯＮＮ）メッセージを発呼エンドポイント装置１２へ送信する（ステップＥ１６）。こうして、発呼エンドポイント装置１２と着信転送先エンドポイント装置１４が通話状態となる（ステップＥ１７）。
【０００９】
次に、エンドポイント装置１２がエンドポイント装置１３に対して呼出をかけた時に、着信エンドポイント装置１３が一旦着信するが所定時間応答が無いために他のエンドポイント装置へ転送される場合の動作を説明する。発呼エンドポイント装置１２は、自身のエイリアスアドレスと着信エンドポイント装置１３のエイリアスアドレスを含んだＨ．３２３の参加要求（ＡＲＱ）メッセージをゲートキーパ装置１１へ送信する（ステップＥ２１）。ゲートキーパ装置１１は、受け取った着信エンドポイント装置１３のエイリアスアドレスを基にＩＰアドレスを読み出して、着信エンドポイント装置１３のＩＰアドレスを含んだＨ．３２３の参加確認（ＡＣＦ）メッセージを発呼エンドポイント装置１２へ送信する（ステップＧ２２）。次に、発呼エンドポイント装置１２は、Ｈ．３２３の呼設定（ＳＥＴＵＰ）メッセージを着信エンドポイント装置１３へ送信する（ステップＥ２３）。
【００１０】
着信エンドポイント装置１３は、Ｈ．３２３の呼設定受付（ＣＡＬＬ  ＰＲＯＣ）メッセージを発呼エンドポイント装置１２へ送信する（ステップＥ２４）。
また、着信エンドポイント装置１３は、自身のエイリアスアドレスを含んだＨ．３２３の参加要求（ＡＲＱ）メッセージをゲートキーパ装置１１へ送信する（ステップＥ２５）。ゲートキーパ装置１１は、Ｈ．３２３の参加確認（ＡＣＦ）メッセージを着信エンドポイント装置１３へ送信する（ステップＧ２６）。着信エンドポイント装置１３は、Ｈ．３２３の呼出（ＡＬＥＲＴ）メッセージを発呼エンドポイント装置１２へ送信する（ステップＥ２７）。この時点で、着信エンドポイント装置１３は着信状態となる。
【００１１】
着信状態にある着信エンドポイント装置１３において所定時間応答操作がなされないと、着信エンドポイント装置１３は、所定時間無応答を示す理由表示値を読み出し、自ら管理する理由表示値に応じた着信転送先（この場合は着信転送先エンドポイント装置１４）を決定する。着信エンドポイント装置１３は、接続できない状態であることとその理由を示す理由表示値と着信転送先エンドポイント装置１４のエイリアスアドレスとを含んだＨ．３２３のファシリティ（ＦＡＣＩＬＩＴＹ）メッセージを発呼エンドポイント装置１２へ送信する（ステップＥ２８）。発呼エンドポイント装置１２は、メッセージを受け取ったことを示す内容を含んだＨ．３２３のファシリティ（ＦＡＣＩＬＩＴＹ）メッセージを着信エンドポイント装置１３へ送信する（ステップＥ２９）。
【００１２】
次に、発呼エンドポイント装置１２は、着信エンドポイント装置１３から通知された着信転送先エンドポイント装置１４を新しく呼び出すために、自身のエイリアスアドレスと着信転送先エンドポイント装置１４のエイリアスアドレスを含んだＨ．３２３の参加要求（ＡＲＱ）メッセージをゲートキーパ装置１１へ送信する（ステップＥ３０）。ゲートキーパ装置１１は、受け取った着信転送先エンドポイント装置１４のエイリアスアドレスを基にＩＰアドレスを読み出して、着信転送先エンドポイント装置１４のＩＰアドレスを含んだＨ．３２３の参加確認（ＡＣＦ）メッセージを発呼エンドポイント装置１２へ送信する（ステップＧ３１）。次に、発呼エンドポイント装置１２は、Ｈ．３２３の呼設定（ＳＥＴＵＰ）メッセージを着信転送先エンドポイント装置１４へ送信する（ステップＥ３２）。
【００１３】
着信転送先エンドポイント装置１４は、Ｈ．３２３の呼設定受付（ＣＡＬＬ  ＰＲＯＣ）メッセージを発呼エンドポイント装置１２へ送信し（ステップＥ３３）、自身のエイリアスアドレスを含んだＨ．３２３の参加要求（ＡＲＱ）メッセージをゲートキーパ装置１１へ送信する（ステップＥ３４）。ゲートキーパ装置１１は、Ｈ．３２３の参加確認（ＡＣＦ）メッセージを着信転送先エンドポイント装置１４へ送信する（ステップＧ３５）。着信転送先エンドポイント装置１４は、Ｈ．３２３の呼出（ＡＬＥＲＴ）メッセージを発呼エンドポイント装置１２へ送信する（ステップＥ３６）。この時点で、着信転送先エンドポイント装置１４は着信状態となる。
【００１４】
発呼エンドポイント装置１２は、着信エンドポイント装置１３との接続を終了するため、Ｈ．３２３の解放完了（ＲＥＬ＿ＣＯＭＰ）メッセージを着信エンドポイント装置１３へ送信し（ステップＥ３７）、Ｈ．３２３の離脱要求（ＤＲＱ）メッセージをゲートキーパ装置１１へ送信する（ステップＥ３８）。ゲートキーパ装置１１は、Ｈ．３２３の離脱確認（ＤＣＦ）メッセージを発呼エンドポイント装置１２へ送信する（ステップＧ３９）。着信エンドポイント装置１３は、Ｈ．３２３の離脱要求（ＤＲＱ）メッセージをゲートキーパ装置１１へ送信する（ステップＥ４０）。ゲートキーパ装置１１は、Ｈ．３２３の離脱確認（ＤＣＦ）メッセージを着信エンドポイント装置１３へ送信する（ステップＧ４１）。
【００１５】
着信転送先エンドポイント装置１４において着信に対する応答操作がなされると、着信転送先エンドポイント装置１４は、Ｈ．３２３の応答（ＣＯＮＮ）メッセージを発呼エンドポイント装置１２へ送信する（ステップＥ４２）。こうして、発呼エンドポイント装置１２と着信転送先エンドポイント装置１４が通話状態となる（ステップＥ４３）。
【００１６】
以上のように、従来のマルチメディア通信システム１０における着信転送制御では、着信することができずに転送する場合及び一旦着信して応答できずに転送する場合において、着信エンドポイント装置は、自ら管理する着信転送先を決定してその着信転送先を発呼エンドポイント装置に理由表示値とともに通知して、発呼エンドポイント装置は、その着信転送先エンドポイント装置に対して呼を発生させて接続する方式である。
【００１７】
【非特許文献１】
ＪＴ−Ｈ４５０．３
ＪＴ−Ｈ３２３のための着信転送付加サービス
社団法人    電信電話技術委員会
【非特許文献２】
ＩＮＴＥＲＮＡＴＩＯＮＡＬ  ＴＥＬＥＣＯＭＭＵＮＩＣＡＴＩＯＮ  ＵＮＩＯＮ
ＴＥＲＥＣＯＭＭＵＮＩＣＡＴＩＯＮ  ＳＴＡＮＤＡＲＤＩＺＡＴＩＯＮ  ＳＥＣＴＯＲ  ＯＦ  ＩＴＵ
Ｃａｌｌ  ｄｉｖｅｒｓｉｏｎ  ｓｕｐｐｌｅｍｅｎｔａｒｙ  ｓｅｒｖｉｃｅｓ  ｆｏｒ  Ｈ．３２３
ＩＴＵ−Ｔ  Ｒｅｃｏｍｍｅｎｄａｔｉｏｎ  Ｈ．４５０．３
【００１８】
【発明が解決しようとする課題】
しかしながら、従来のマルチメディア通信システムの着信転送制御においては、発呼エンドポイント装置と着信転送先エンドポイント装置との間で呼を新たに生成するため、ゲートキーパ装置では新たに生成された呼が着信転送の呼かどうか不明であり、着信転送元がどこかも認識できない。従って、番号による発信規制、課金、番号付加又は削除等のテレフォニーサービスを行うゲートキーパ装置において、本来行うべき着信転送元に対するテレフォニーサービスが行えず、発呼者に対してテレフォニーサービスを行ってしまうという問題がある。
【００１９】
本発明はかかる点に鑑みてなされたものであり、ＴＴＣ標準ＪＴ−Ｈ３２３又はＩＴＵ−Ｔ勧告Ｈ．３２３に基づくマルチメディア通信システムにおいて、着信転送動作が行われた時に、番号による発信規制、課金、番号付加又は削除等のテレフォニーサービスを着信転送元に対して行うことができる通信制御システム、通信端末装置及びゲートキーパ装置を提供することを目的とする。
【００２０】
【課題を解決するための手段】
本発明は、発呼装置と、前記発呼装置から着信を受ける着信装置と、前記発呼装置と前記着信装置とを接続するためのアドレス管理を行うゲートキーパ装置と、を具備する通信システムにおいて、前記ゲートキーパ装置が、前記発呼装置からの参加要求に応答して前記着信装置における接続不可状態に応じた転送先を前記発呼装置に通知する転送先通知手段を備え、前記発呼装置が、接続不可状態に応じた転送先を前記ゲートキーパ装置から受ける転送先受信手段と、前記着信装置から接続できない旨の応答とその接続不可状態を受信する応答受信手段と、受信した接続不可状態と前記受信した転送先とから着信転送先を決定する転送先決定手段と、前記着信転送先に接続するために前記ゲートキーパ装置に参加要求を行う時に着信転送であること及び着信転送元が前記着信装置であることを前記ゲートキーパ装置に通知する転送元通知手段と、を備える通信制御システムである。
【００２１】
【発明の実施の形態】
本発明の第１の態様は、発呼装置と、前記発呼装置から着信を受ける着信装置と、前記発呼装置と前記着信装置とを接続するためのアドレス管理を行うゲートキーパ装置と、を具備する通信システムにおいて、前記ゲートキーパ装置が、前記発呼装置からの参加要求に応答して前記着信装置における接続不可状態に応じた転送先を前記発呼装置に通知する転送先通知手段を備え、前記発呼装置が、接続不可状態に応じた転送先を前記ゲートキーパ装置から受ける転送先受信手段と、前記着信装置から接続できない旨の応答とその接続不可状態を受信する応答受信手段と、受信した接続不可状態と前記受信した転送先とから着信転送先を決定する転送先決定手段と、前記着信転送先に接続するために前記ゲートキーパ装置に参加要求を行う時に着信転送であること及び着信転送元が前記着信装置であることを前記ゲートキーパ装置に通知する転送元通知手段と、を備える通信制御システムである。
【００２２】
本発明によれば、発呼装置が転送先を決定してゲートキーパ装置に着信転送であること及び着信転送元が着信装置であることを通知するため、ゲートキーパ装置は着信転送元を認識して発信規制処理又は課金処理又は番号付加又は削除の処理などのテレフォニーサービスを着信転送元に対して行うことができる。
【００２３】
本発明の第２の態様は、前記ゲートキーパ装置が、受信した着信転送元の前記着信装置に対して発信規制処理又は課金処理又は番号付加又は削除の処理を行う処理手段を備える通信制御システムである。
【００２４】
本発明によれば、ゲートキーパ装置が受信した着信転送元の着信装置に対して発信規制処理又は課金処理又は番号付加又は削除の処理を行うため、着信転送元がどの装置かを受信することにより着信転送元に対するテレフォニーサービスを行うことができる。
【００２５】
本発明の第３の態様は、前記接続不可状態が、電話中、着信に対する無応答によるタイムオーバー、無線端末装置が圏外であることの少なくともいずれか一つを区別するよう管理される通信制御システムである。
【００２６】
本発明によれば、着信装置が接続不可能な状態にありその理由が、電話中である、一旦着信したが応答できずにタイムオーバーした、無線端末装置が圏外のため接続不可である、の少なくともいずれか一つを区別するよう管理されるため、接続不可状態の理由によって着信転送先を別々に設定することができる。
【００２７】
本発明の第４の態様は、前記ゲートキーパ装置が、転送した回数を計数する転送回数計数手段を有し、転送回数に制限を設ける通信制御システムである。
【００２８】
本発明によれば、転送回数に制限を設けるため、着信転送が次々と行われて収束しないなどの問題を防止することができる。
【００２９】
本発明の第５の態様は、前記ゲートキーパ装置が、転送回数に制限をかけた場合に、最初の転送元である前記着信装置のアドレスを前記発呼装置に通知する通知手段を備える通信制御システムである。
【００３０】
本発明によれば、転送回数が制限回数に達した場合に、最初の転送元である着信装置に対して再度接続動作を行うため、発呼者の目的に合った動作ができる。
【００３１】
本発明の第６の態様は、前記発呼装置が、転送した回数を計数する転送回数計数手段を有し、転送回数に制限を設ける通信制御システムである。
【００３２】
本発明によれば、転送回数に制限を設けるため、着信転送が次々と行われて収束しないなどの問題を防止することができる。
【００３３】
本発明の第７の態様は、アドレス管理を行うゲートキーパ装置から着信装置における接続不可状態に応じたそれぞれの転送先を受信する転送先受信手段と、前記着信装置から接続できない旨の応答とその接続不可状態を受信する応答受信手段と、受信した接続不可状態と前記受信した転送先とから着信転送先を決定する転送先決定手段と、前記着信転送先に接続するために前記ゲートキーパ装置に参加要求を行う時に着信転送であること及び着信転送元が前記着信装置であることを前記ゲートキーパ装置に通知する転送元通知手段と、を備える通信端末装置である。
【００３４】
本発明によれば、発呼装置が接続不可状態に応じたそれぞれの転送先の中から接続不可状態に対応する着信転送先を決定し、転送先に接続するために参加要求を行う時に着信転送であること及び着信転送元をゲートキーパ装置に通知するため、ゲートキーパ装置は着信転送を認識して発信規制処理又は課金処理又は番号付加又は削除の処理などのテレフォニーサービスを着信転送元に対して行うことができる。
【００３５】
本発明の第８の態様は、通信端末の着信時における接続不可状態に対応して予め設定された着信転送先情報を記憶する着信転送先記憶部を有し、通信端末である発呼装置から接続するための参加要求を受信する受信手段と、前記参加要求に応答して着信装置の着信転送先情報を前記着信転送先記憶部から取り出して通知する転送先通知手段と、を備えるゲートキーパ装置である。
【００３６】
本発明によれば、ゲートキーパ装置が発呼装置に対して着信装置の着信転送先情報を通知するため、発呼装置は着信装置から転送先を指示されなくても接続不可の応答とその接続不可状態から前記着信転送先情報を検索して着信転送先を決定することができる。
【００３７】
本発明の第９の態様は、前記発呼装置から着信転送であること及び着信転送元の通知を受けて前記着信転送元に対して発信規制処理を行う発信規制手段を備えるゲートキーパ装置である。
【００３８】
本発明によれば、着信転送時に着信転送元の通知を受信して発信規制処理を行うため、着信転送元の発信規制の設定に基づいて発信規制をかけることができる。
【００３９】
本発明の第１０の態様は、前記発呼装置から着信転送であること及び着信転送元の通知を受けて前記着信転送元に対して課金処理を行う課金手段を備えるゲートキーパ装置である。
【００４０】
本発明によれば、着信転送時に着信転送元の通知を受信して課金処理を行うため、着信転送元に対して課金をすることができる。
【００４１】
本発明の第１１の態様は、前記発呼装置から着信転送であること及び着信転送元の通知を受けて前記着信転送元に対して番号付加又は削除の処理を行う番号付加削除手段を備えるゲートキーパ装置である。
【００４２】
本発明によれば、着信転送時に着信転送元の通知を受信して番号付加又は削除の処理を行うため、着信転送元の情報に基づいて番号付加又は削除のサービスをすることができる。
【００４３】
本発明の第１２の態様は、発呼装置と、前記発呼装置から着信を受ける着信装置と、前記発呼装置と前記着信装置とを接続するためのアドレス管理を行うゲートキーパ装置と、を具備する通信システムにおいて、前記ゲートキーパ装置が、前記発呼装置からの参加要求に応答して前記着信装置における接続不可状態に応じた転送先を前記発呼装置に通知する転送先通知ステップを備え、前記発呼装置が、接続不可状態に応じた転送先を前記ゲートキーパ装置から受ける転送先受信ステップと、前記着信装置から接続できない旨の応答とその接続不可状態を受信する応答受信ステップと、受信した接続不可状態と前記受信した転送先とから着信転送先を決定する転送先決定ステップと、前記着信転送先に接続するために前記ゲートキーパ装置に参加要求を行う時に着信転送であること及び着信転送元が前記着信装置であることを前記ゲートキーパ装置に通知する転送元通知ステップと、を備える通信制御方法である。
【００４４】
本発明によれば、発呼装置が転送先を決定してゲートキーパ装置に着信転送であること及び着信転送元が着信装置であることを通知するため、ゲートキーパ装置は着信転送元を認識して発信規制処理又は課金処理又は番号付加又は削除の処理などのテレフォニーサービスを着信転送元に対して行うことができる。
【００４５】
本発明の第１３の態様は、アドレス管理を行うゲートキーパ装置から着信装置における接続不可状態に応じたそれぞれの転送先を受信する転送先受信ステップと、前記着信装置から接続できない旨の応答とその接続不可状態を受信する応答受信ステップと、受信した接続不可状態と前記受信した転送先とから着信転送先を決定する転送先決定ステップと、前記着信転送先に接続するために前記ゲートキーパ装置に参加要求を行う時に着信転送であること及び着信転送元が前記着信装置であることを前記ゲートキーパ装置に通知する転送元通知ステップと、を備える通信端末装置の制御方法である。
【００４６】
本発明によれば、発呼装置が接続不可状態に応じたそれぞれの転送先の中から接続不可状態に対応する着信転送先を決定し、転送先に接続するために参加要求を行う時に着信転送であること及び着信転送元をゲートキーパ装置に通知するため、ゲートキーパ装置は着信転送を認識して発信規制処理又は課金処理又は番号付加又は削除の処理などのテレフォニーサービスを着信転送元に対して行うことができる。
【００４７】
本発明の第１４の態様は、通信端末の着信時における接続不可状態に対応して予め設定された転送先情報を記憶する転送先記憶ステップと、通信端末である発呼装置から接続するための参加要求を受信する受信ステップと、前記参加要求に応答して前記転送先記憶ステップで記憶した前記転送先情報の中から着信装置の転送先情報を取り出して通知する転送先通知ステップと、前記発呼装置から着信転送であること及び着信転送元の通知を受けて前記着信転送元に対して発信規制処理又は課金処理又は番号付加又は削除の処理を行うよう処理するステップと、を備えるゲートキーパ装置の制御方法である。
【００４８】
本発明によれば、ゲートキーパ装置が発呼装置に対して着信装置の着信転送先情報を通知するため、発呼装置は着信装置から転送先を指示されなくても接続不可の応答とその接続不可状態から前記着信転送先情報を検索して着信転送先を決定することができる。また、着信転送時に着信転送元の通知を受信して発信規制処理又は課金処理又は番号付加又は削除の処理を行うため、着信転送元に対してテレフォニーサービスを行うことができる。
【００４９】
本発明の骨子は、ゲートキーパ装置が発呼装置からの参加要求に応答して着信装置における接続不可状態に応じた転送先を発呼装置に通知し、発呼装置が、着信装置からの接続不可理由を受けて着信転送先を決定し、着信転送先に接続するために参加要求を行う時に着信転送であること及び着信転送元が着信装置であることをゲートキーパ装置に通知することである。
【００５０】
以下、本発明の実施の形態について、図面を参照して詳細に説明する。
【００５１】
図１は、本発明の一実施の形態に係る通信制御システムの構成の一例を示すシステム図である。
【００５２】
通信制御システム１００は、ゲートキーパ装置１０１と、通信端末装置１０２〜１０６（図１の例の場合）とで構成され、それぞれＬＡＮに接続されている。
ゲートキーパ装置１０１は、各通信端末装置のアドレスの管理、通信を行うための帯域幅の管理、通信を開始する場合の許可の制御等のいわゆるゲートキーパ機能に加えて、各通信端末装置の着信転送先の管理及び発信規制処理又は課金処理又は番号付加又は削除の処理等のテレフォニーサービスの処理を行う。通信端末装置１０２〜１０６は、Ｈ．３２３による通信システムの端末であり、ＩＰ電話機、パソコン及びゲートウェイ等である。
【００５３】
通信端末装置１０２は、通信端末装置１０３に対して呼出をかける発呼装置であり、エイリアスアドレスは“２００”である。通信端末装置１０３は、発呼装置１０２から呼び出されて着信を受ける着信装置であり、エイリアスアドレスは“２０１”である。通信端末装置１０４は、着信装置１０３が通話中（ビジー）の時に着信転送を受ける着信転送先装置であり、エイリアスアドレスは“２０２”である。通信端末装置１０５は、着信装置１０３が着信に応答できない時に着信転送を受ける着信転送先装置であり、エイリアスアドレスは“２０３”である。通信端末装置１０６は、着信装置１０３が基地局の場合に無線端末が圏外のために接続できない時に着信転送を受ける着信転送先装置であり、エイリアスアドレスは“２０４”である。これらの着信転送が行われた場合に、着信装置１０３は着信転送元となる。
【００５４】
図２は、本発明の一実施の形態に係るゲートキーパ装置の構成を示すブロック図である。
【００５５】
ゲートキーパ装置１０１は、ＣＰＵ２０１、ＴＣＰ／ＩＰ制御部２０２、呼接続制御送受信部２０３、ＩＰアドレス記憶部２０４、着信転送先記憶部２０５、着信転送先通知部２０６、テレフォニーサービス処理部２０７及び転送回数カウンタ２０８を備えている。
【００５６】
ＣＰＵ２０１は、ゲートキーパ装置１０１の内部の制御を行うＣＰＵである。
ＴＣＰ／ＩＰ制御部２０２は、ＬＡＮ上でＩＰ通信を行うためのインターフェイスである。呼接続制御送受信部２０３は、通信端末装置からの参加要求（ＡＲＱ）などのＨ．３２３のメッセージを受信して各部に伝え、参加確認（ＡＣＦ）などのＨ．３２３のメッセージを各部の情報から編集して送信するなど呼接続制御に関する送受信を行う。図３は、本実施の形態に係るゲートキーパ装置のＩＰアドレス記憶部の内容の一例を説明するための図である。図３に示すように、ＩＰアドレス記憶部２０４は、通信端末装置のエイリアスアドレス（電話番号等）とＩＰアドレスを対応付けて記憶している。図４は、本実施の形態に係るゲートキーパ装置の着信転送先記憶部の内容の一例を説明するための図である。図４に示すように、着信転送先記憶部２０５は、通信端末装置のエイリアスアドレスごとに着信転送種別に対応した転送先のエイリアスアドレスを記憶している。この着信転送種別は、接続不可状態に応じて区分されている。着信転送先通知部２０６は、着信転送先記憶部２０５から着信装置の着信転送先情報を読み出して呼接続制御送受信部２０３に通知する。
【００５７】
テレフォニーサービス処理部２０７は、番号による発信規制、課金及び番号付加又は削除などのテレフォニーサービスの処理を行い、発信規制部２０７１と、課金部２０７２と、番号付加削除部２０７３と、を有している。発信規制部２０７１は、発呼者又は着信転送元の設定に基づいて発信規制をかける処理を行う。
課金部２０７２は、発呼者又は着信転送元に対して課金処理を行う。番号付加削除部２０７３は、発呼者又は着信転送元がダイヤルした番号に予め設定された番号を付加する又は削除するという処理を行う。転送回数カウンタ２０８は、ひとつの呼出に対して着信転送が次々と限りなく行われないように制限を設けるために着信転送の回数を計数する。
【００５８】
図５は、本発明の一実施の形態に係る通信端末装置の構成を示すブロック図である。
【００５９】
通信端末装置１０２は、ＣＰＵ５０１、ＴＣＰ／ＩＰ制御部５０２、転送先受信部５０３、接続不可状態応答受信部５０４、転送先決定部５０５、着信転送元通知部５０６及び転送回数受信部５０７を備えている。
【００６０】
ＣＰＵ５０１は、通信端末装置１０２の内部の制御を行うＣＰＵである。ＴＣＰ／ＩＰ制御部５０２は、ＬＡＮ上でＩＰ通信を行うためのインターフェイスである。図６は、本実施の形態に係る通信端末装置の転送先受信部の内容の一例を説明するための図である。図６に示すように、転送先受信部５０３は、ゲートキーパ装置１０１から着信転送先情報として送信された着信装置の着信転送種別に対応した着信転送先のエイリアスアドレスを受信して記憶する。接続不可状態応答受信部５０４は、着信装置から送信された接続不可の応答とその接続不可状態を示す理由表示値を受信して記憶する。転送先決定部５０５は、接続不可状態応答受信部５０４が受信した接続不可状態の理由表示値に基づいて転送先受信部５０３が受信した着信装置の着信転送種別に対応した転送先エイリアスアドレスを検索して着信転送先を決定する。
【００６１】
着信転送元通知部５０６は、転送先決定部５０５が決定した着信転送先に対して接続を開始するための参加要求（ＡＲＱ）メッセージに着信転送であることと着信転送元である着信装置のエイリアスアドレスとを載せてゲートキーパ装置１０１へ通知する。転送回数受信部５０７は、ゲートキーパ装置１０１から参加確認（ＡＣＦ）メッセージに載せて送られてくる転送回数を受信して記憶し、着信転送先に接続する時に、接続のための参加要求（ＡＲＱ）メッセージに載せてゲートキーパ装置１０１へ送信する。
【００６２】
次に、本発明の一実施の形態に係る通信制御システム１００、ゲートキーパ装置１０１及び通信端末装置１０２の動作について、図１から図１１を参照して説明する。図７、図８及び図９は、本実施の形態に係る通信制御システムの動作を説明するためのシーケンス図である。図７は、着信装置が電話中で着信できない場合のシーケンス図である。図８は、着信装置が着信するが所定時間内に応答しない場合のシーケンス図である。図９は、着信装置が無線装置の基地局で無線端末装置が圏外のために接続できない場合のシーケンス図である。図１０は、本実施の形態に係るゲートキーパ装置の動作を説明するためのフローチャートである。図１１は、本実施の形態に係る通信端末装置の動作を説明するためのフローチャートである。図７、図８、図９、図１０及び図１１において、通信端末装置の動作はステップＥの符号を付して示され、ゲートキーパ装置の動作はステップＧの符号を付して示される。
【００６３】
図７に示すように、通信端末装置１０２が発呼装置となって通信端末装置１０３に呼出をかけ、着信装置となる通信端末装置１０３が電話中で着信できずに着信転送が行われる動作について説明する。
【００６４】
発呼装置１０２は、自身のエイリアスアドレス（電話番号等）“２００”と着信装置１０３のエイリアスアドレス“２０１”を含んだＨ．３２３の参加要求（ＡＲＱ）メッセージをゲートキーパ装置１０１へ送信する（図７のステップＥ７０１）。ゲートキーパ装置１０１では、ＴＣＰ／ＩＰ制御部２０２を介して呼接続制御送受信部２０３が参加要求（ＡＲＱ）メッセージを受け取る。呼接続制御送受信部２０３は、参加要求（ＡＲＱ）メッセージに着信転送情報があるか否かを判定し（図１０のステップＧ１００１）、この時はまだ着信転送ではないのでステップＧ１００２へ進む。ステップＧ１００２において、着信転送先通知部２０６は、着信装置に着信転送先があるか否かを呼接続制御送受信部２０３が受け取った着信装置のエイリアスアドレス“２０１”を基に着信転送先記憶部２０５を検索して判定する。図４に示すように、着信転送先があるので着信装置の着信転送先情報を読み出して呼接続制御送受信部２０３に通知する（ステップＧ１００３）。
【００６５】
呼接続制御送受信部２０３は、着信装置のエイリアスアドレス“２０１”を基にＩＰアドレス記憶部２０４から読み出したＩＰアドレス“１９２．１６８．１．３”と、着信転送先通知部２０６から通知された着信装置の着信転送先情報と、転送回数の初期値“０”と、最初の着信転送元である着信装置のエイリアスアドレス“２０１”と、を参加確認（ＡＣＦ）メッセージに編集する（ステップＧ１００４）。ステップＧ１００２において、着信転送先が無い場合はステップＧ１００５に進む。ステップＧ１００５において、呼接続制御送受信部２０３は、着信装置のエイリアスアドレス“２０１”を基にＩＰアドレス記憶部２０４から読み出したＩＰアドレス“１９２．１６８．１．３”だけを参加確認（ＡＣＦ）メッセージに編集する。次に、ステップＧ１００６において、テレフォニーサービス処理部２０７は、発信規制部、課金、番号付加削除などのテレフォニーサービスを発呼者に対して実行する。すなわち、発信規制部２０７１は、発呼装置１０２の発信規制設定に基づいて発信規制を行う。また、課金部２０７２は、発呼装置１０２に対して課金処理を行う。さらに、番号付加削除部２０７３は、発呼装置１０２の番号付加削除の設定に基づいて番号の付加又は削除を行う。
【００６６】
ゲートキーパ装置１０１は、上記動作を行って、着信装置１０３のＩＰアドレス“１９２．１６８．１．３”と着信装置１０３の接続不可状態に応じた各転送先などを含んだＨ．３２３の参加確認（ＡＣＦ）メッセージを発呼装置１０２へ送信する（図７のステップＧ７０２）。発呼装置１０２では、ＴＣＰ／ＩＰ制御部５０２を介して参加確認（ＡＣＦ）メッセージを受信し、転送先受信部５０３が転送先情報を受け取り保存すると同時に、転送回数受信部が転送回数を受け取って保存し、着信転送元通知部５０６が最初の着信転送元を受け取って保存する（図１１のステップＥ１１０１）。発呼装置１０２は、呼設定（ＳＥＴＵＰ）メッセージを着信装置１０３へ送信する（図７のステップＥ７０３及び図１１のステップＥ１１０２）。この時点で、発呼装置１０２は、メッセージ受信待ちの状態となる（図１１のステップＥ１１０３）。
【００６７】
図７のステップＥ７０４において、着信装置１０３は、電話中で着信できないことから、接続不可であることとその状態を示す理由表示値“ビジー”を含んだＨ．３２３の解放完了（ＲＥＬ＿ＣＯＭＰ）メッセージを発呼装置１０２へ送信する。発呼装置１０２では、メッセージを受信すると、メッセージ内容を判定して、応答（ＣＯＮＮ）メッセージ又は解放完了（ＲＥＬ＿ＣＯＭＰ）メッセージが来るまで待つ（図１１のステップＥ１１０４、ステップＥ１１０５）。メッセージを受信して、ステップＥ１１０６において、応答（ＣＯＮＮ）メッセージと判定されると、ステップＥ１１０７に進んで通話となる。ステップＥ１１０６において、応答（ＣＯＮＮ）メッセージでなければ解放完了（ＲＥＬ＿ＣＯＭＰ）メッセージでありステップＥ１１０８に進む。この場合、発呼装置１０２は、着信装置１０３から送信された解放完了（ＲＥＬ＿ＣＯＭＰ）メッセージを受信する（図７のステップＥ７０４）ので、ステップＥ１１０８において、接続不可状態の理由表示値“ビジー”を接続不可状態応答受信部５０４に保存する。
【００６８】
発呼装置１０２は、着信装置１０３との接続を終了するために、Ｈ．３２３の離脱要求（ＤＲＱ）メッセージをゲートキーパ装置１０１へ送信し（図７のステップＥ７０５）、ゲートキーパ装置１０１からＨ．３２３の離脱確認（ＤＣＦ）メッセージを受信する（図７のステップＧ７０６及び図１１のステップＥ１１０９）。次に、発呼装置１０２の転送先決定部５０５は、接続不可状態応答受信部５０４に保存した理由表示値“ビジー”を基に転送先受信部５０３に保存した着信装置１０３の転送先情報を検索して着信転送種別“ビジー”を決定して対応する転送先のエイリアスアドレス“２０２”を読み出す（図１１のステップＥ１１１０）。ステップＥ１１１１において、ＣＰＵ５０１は、着信転送先が決定したか否か判定して、決定していなければステップＥ１１１２に進んで発呼失敗となる。着信転送先が決定すると、ステップＥ１１１３に進む。
【００６９】
ステップＥ１１１３において、着信転送元通知部５０６は、転送先決定部５０５が決定した転送先のエイリアスアドレス“２０２”と、自身のエイリアスアドレス“２００”と、着信転送であることと、着信転送元のエイリアスアドレス“２０１”と、転送回数受信部５０７に保存した転送回数“０”と、保存した最初の着信転送元のエイリアスアドレス“２０１”と、を転送先に接続するための参加要求（ＡＲＱ）メッセージに編集する。発呼装置１０２は、上記動作を行って、着信転送であること及び着信転送元のエイリアスアドレス等を含んだＨ．３２３の参加要求（ＡＲＱ）メッセージをゲートキーパ装置１０１へ送信する（図７のステップＥ７０７）。
【００７０】
ゲートキーパ装置１０１では、参加要求（ＡＲＱ）メッセージを受信すると再び図１０のステップＧ１００１から動作が始まる。ステップＧ１００１において、呼接続制御送受信部２０３は、受け取った参加要求（ＡＲＱ）メッセージに着信転送情報があるか否かを判定し、この場合は着信転送情報がありステップＧ１００７へ進む。ステップＧ１００７において、転送回数カウンタ２０８は、参加要求（ＡＲＱ）メッセージで受信した転送回数“０”に１を加算して転送回数“１”とする。ステップＧ１００８において、ＣＰＵ２０１は、転送回数が転送制限のしきい値か否か判定する。この場合、しきい値に達していないとしてステップＧ１００９に進む。ステップＧ１００９において、着信転送先通知部２０６は、呼接続制御送受信部２０３が受け取った着信転送先のエイリアスアドレス“２０２”を基に着信転送先記憶部２０５を検索して、着信転送先のエイリアスアドレス“２０２”である通信端末装置１０４の更なる着信転送先情報を読み出して呼接続制御送受信部２０３に通知する。
【００７１】
呼接続制御送受信部２０３は、着信転送先のエイリアスアドレス“２０２”を基にＩＰアドレス記憶部２０４から読み出したＩＰアドレス“１９２．１６８．１．４”と、通信端末装置１０４の更なる着信転送先情報と、加算した転送回数“１”と、最初の着信転送元である通信端末装置１０３のエイリアスアドレス“２０１”と、を参加確認（ＡＣＦ）メッセージに編集する（図１０のステップＧ１０１１）。次に、ステップＧ１０１２において、テレフォニーサービス処理部２０７は、呼接続制御送受信部２０３が参加要求（ＡＲＱ）メッセージで受け取った着信転送元のエイリアスアドレス“２０１”を基に、発信規制部、課金、番号付加削除などのテレフォニーサービスを着信転送元に対して実行する。すなわち、発信規制部２０７１は、着信転送元の通信端末装置１０３の発信規制設定に基づいて発信規制を行う。また、課金部２０７２は、着信転送元の通信端末装置１０３に対して課金処理を行う。さらに、番号付加削除部２０７３は、着信転送元の通信端末装置１０３の番号付加削除の設定に基づいて番号の付加又は削除を行う。
【００７２】
ゲートキーパ装置１０１は、上記動作を行って、着信転送先の通信端末装置１０４のＩＰアドレス“１９２．１６８．１．４”と通信端末装置１０４の接続不可状態に応じた各転送先などを含んだＨ．３２３の参加確認（ＡＣＦ）メッセージを発呼装置１０２へ送信する（図７のステップＧ７０８）。発呼装置１０２は、参加確認（ＡＣＦ）メッセージを受信すると再び図１１のステップＥ１１０１から動作が始まる。同様の動作については説明が省略される。発呼装置１０２は、Ｈ．３２３の呼設定（ＳＥＴＵＰ）メッセージを着信転送先の通信端末装置１０４へ送信する（図７のステップＥ７０９及び図１１のステップＥ１１０２）。
通信端末装置１０４は、Ｈ．３２３の呼設定受付（ＣＡＬＬ  ＰＲＯＣ）メッセージを発呼装置１０２へ送信する（図７のステップＥ７１０）。また、通信端末装置１０４は、発呼装置１０２と接続するためにＨ．３２３の参加要求（ＡＲＱ）メッセージをゲートキーパ装置１０１へ送信する（ステップＥ７１１）。ゲートキーパ装置１０１は、Ｈ．３２３の参加確認（ＡＣＦ）メッセージを通信端末装置１０４へ送信する（ステップＧ７１２）。
【００７３】
次に、通信端末装置１０４は、Ｈ．３２３の呼出（ＡＬＥＲＴ）メッセージを発呼装置１０２へ送信する（ステップＥ７１３）。この時点で、通信端末装置１０４は着信状態となる。通信端末装置１０４で応答操作が行われると、通信端末装置１０４は、Ｈ．３２３の応答（ＣＯＮＮ）メッセージを発呼装置１０２へ送信する（ステップＥ７１４）。こうして、発呼装置である通信端末装置１０２と着信転送先である通信端末装置１０４は、それぞれネットワーク上で通話路の形成を行って、お互いに通話可能な状態となる（ステップＥ７１５）。
【００７４】
ここで、ひとつの呼出に対して着信転送が何度も行われて制限がかかる場合の動作について図１０に示すフローチャートを参照して説明する。ゲートキーパ装置１０１は、ステップＧ１００８において、ＣＰＵ２０１が、転送回数がしきい値に達したと判定してステップＧ１０１０に進む。ステップＧ１０１０において、呼接続制御送受信部２０３は、参加要求（ＡＲＱ）メッセージで受け取った最初の着信転送元のエイリアスアドレスをこの着信転送で着信させようとしている着信エイリアスアドレスの替わりに読み替える。ステップＧ１００５において、呼接続制御送受信部２０３は、読み替えた最初の着信転送元のエイリアスアドレスを基にＩＰアドレス記憶部２０４からＩＰアドレスを読み出して参加確認（ＡＣＦ）メッセージに編集する。ステップＧ１００６において、発呼者に対するテレフォニーサービスを実行した後、最初の着信転送元のＩＰアドレスを含んだＨ．３２３の参加確認（ＡＣＦ）メッセージを発呼装置１０２へ送信する。これによって、発呼装置１０２は、最初の着信転送元である通信端末装置１０３に対して再び接続動作に入ることになる。
【００７５】
次に、図８に示すように、通信端末装置１０２が発呼装置となって通信端末装置１０３に呼出をかけ、着信装置となる通信端末装置１０３が一旦着信するが応答できずに着信状態の所定時間に対するタイムオーバーで着信転送が行われる動作について説明する。
【００７６】
ステップＥ８０１からステップＥ８０３までは、図７におけるステップＥ７０１からステップＥ７０３と同様であるので説明を省略する。ステップＥ８０４において、着信装置１０３は、Ｈ．３２３の呼設定受付（ＣＡＬＬ  ＰＲＯＣ）メッセージを発呼装置１０２へ送信する。また、発呼装置１０２と接続するためにＨ．３２３の参加要求（ＡＲＱ）メッセージをゲートキーパ装置１０１へ送信する（ステップＥ８０５）。ゲートキーパ装置１０１は、Ｈ．３２３の参加確認（ＡＣＦ）メッセージを着信装置１０３へ送信する（ステップＧ８０６）。次に、着信装置１０３は、Ｈ．３２３の呼出（ＡＬＥＲＴ）メッセージを発呼装置１０２へ送信する（ステップＥ８０７）。この時点で、着信装置１０３は着信状態となる。
【００７７】
着信装置１０３において、着信状態に入るとタイマーが起動して所定時間応答操作がなされないとタイムオーバーとなり、接続不可と判定される。ステップＥ８０８において、着信装置１０３は、応答無しで接続できないことから、接続不可であることとその状態を示す理由表示値“無応答”を含んだＨ．３２３の解放完了（ＲＥＬ＿ＣＯＭＰ）メッセージを発呼装置１０２へ送信する。また、着信装置１０３は、接続を終了するためＨ．３２３の離脱要求（ＤＲＱ）メッセージをゲートキーパ装置１０１へ送信する（ステップＥ８０９）。ゲートキーパ装置１０１は、Ｈ．３２３の離脱確認（ＤＣＦ）メッセージを着信装置１０３へ送信する（ステップＧ８１０）。
【００７８】
発呼装置１０２は、着信装置１０３から送信された解放完了（ＲＥＬ＿ＣＯＭＰ）メッセージを受信して接続不可状態の理由表示値“無応答”を接続不可状態応答受信部５０４に保存する（図１１のステップＥ１１０８）。発呼装置１０２は、着信装置１０３との接続を終了するために、Ｈ．３２３の離脱要求（ＤＲＱ）メッセージをゲートキーパ装置１０１へ送信し（図８のステップＥ８１１）、ゲートキーパ装置１０１からＨ．３２３の離脱確認（ＤＣＦ）メッセージを受信する（図８のステップＧ８１２及び図１１のステップＥ１１０９）。次に、発呼装置１０２の転送先決定部５０５は、接続不可状態応答受信部５０４に保存した理由表示値“無応答”を基に転送先受信部５０３に保存した着信装置１０３の転送先情報を検索して着信転送種別“無応答”を決定して対応する転送先のエイリアスアドレス“２０３”を読み出す（図１１のステップＥ１１１０）。
【００７９】
ステップＥ１１１３において、着信転送元通知部５０６は、転送先決定部５０５が決定した転送先のエイリアスアドレス“２０３”と、自身のエイリアスアドレス“２００”と、着信転送であることと、着信転送元のエイリアスアドレス“２０１”と、転送回数受信部５０７に保存した転送回数“０”と、保存した最初の着信転送元のエイリアスアドレス“２０１”と、を転送先に接続するための参加要求（ＡＲＱ）メッセージに編集する。発呼装置１０２は、上記動作を行って、着信転送であること及び着信転送元のエイリアスアドレス等を含んだＨ．３２３の参加要求（ＡＲＱ）メッセージをゲートキーパ装置１０１へ送信する（図８のステップＥ８１３）。ゲートキーパ装置１０１は、参加要求（ＡＲＱ）メッセージを受信すると、図１０のステップＧ１００１、Ｇ１００７、Ｇ１００８、Ｇ１００９、Ｇ１０１１、Ｇ１０１２の処理を行って、着信転送先の通信端末装置１０５のＩＰアドレス“１９２．１６８．１．５”と通信端末装置１０５の接続不可状態に応じた各転送先などを含んだＨ．３２３の参加確認（ＡＣＦ）メッセージを発呼装置１０２へ送信する（図８のステップＧ８１４）。以降ステップＥ８１５からステップＥ８２１については、図７におけるステップＥ７０９からステップＥ７１５と同様であるので説明を省略する。
【００８０】
次に、図９に示すように、通信端末装置１０２が発呼装置となって通信端末装置１０３に呼出をかけ、着信装置となる通信端末装置１０３が無線基地局であって無線端末装置が圏外のために接続できないために着信転送が行われる動作について説明する。
【００８１】
ステップＥ９０１からステップＥ９０３までは、図７におけるステップＥ７０１からステップＥ７０３と同様であるので説明を省略する。ステップＥ９０４において、着信装置１０３は、Ｈ．３２３の呼設定受付（ＣＡＬＬ  ＰＲＯＣ）メッセージを発呼装置１０２へ送信する。この後、着信装置１０３は、無線端末装置を呼び出すために無線端末装置との間で無線通信を試みるが、無線端末装置が圏外にあるため接続に失敗する。ステップＥ９０５において、着信装置１０３は、無線端末装置が圏外で接続できないことから、接続不可であることとその状態を示す理由表示値“圏外”を含んだＨ．３２３の解放完了（ＲＥＬ＿ＣＯＭＰ）メッセージを発呼装置１０２へ送信する。
【００８２】
発呼装置１０２は、着信装置１０３から送信された解放完了（ＲＥＬ＿ＣＯＭＰ）メッセージを受信して接続不可状態の理由表示値“圏外”を接続不可状態応答受信部５０４に保存する（図１１のステップＥ１１０８）。発呼装置１０２は、着信装置１０３との接続を終了するために、Ｈ．３２３の離脱要求（ＤＲＱ）メッセージをゲートキーパ装置１０１へ送信し（図９のステップＥ９０６）、ゲートキーパ装置１０１からＨ．３２３の離脱確認（ＤＣＦ）メッセージを受信する（図９のステップＧ９０７及び図１１のステップＥ１１０９）。次に、発呼装置１０２の転送先決定部５０５は、接続不可状態応答受信部５０４に保存した理由表示値“圏外”を基に転送先受信部５０３に保存した着信装置１０３の転送先情報を検索して着信転送種別“圏外”を決定して対応する転送先のエイリアスアドレス“２０４”を読み出す（図１１のステップＥ１１１０）。
【００８３】
ステップＥ１１１３において、着信転送元通知部５０６は、転送先決定部５０５が決定した転送先のエイリアスアドレス“２０４”と、自身のエイリアスアドレス“２００”と、着信転送であることと、着信転送元のエイリアスアドレス“２０１”と、転送回数受信部５０７に保存した転送回数“０”と、保存した最初の着信転送元のエイリアスアドレス“２０１”と、を転送先に接続するための参加要求（ＡＲＱ）メッセージに編集する。発呼装置１０２は、上記動作を行って、着信転送であること及び着信転送元のエイリアスアドレス等を含んだＨ．３２３の参加要求（ＡＲＱ）メッセージをゲートキーパ装置１０１へ送信する（図９のステップＥ９０８）。ゲートキーパ装置１０１は、参加要求（ＡＲＱ）メッセージを受信すると、図１０のステップＧ１００１、Ｇ１００７、Ｇ１００８、Ｇ１００９、Ｇ１０１１、Ｇ１０１２の処理を行って、着信転送先の通信端末装置１０６のＩＰアドレス“１９２．１６８．１．６”と通信端末装置１０６の接続不可状態に応じた各転送先などを含んだＨ．３２３の参加確認（ＡＣＦ）メッセージを発呼装置１０２へ送信する（図９のステップＧ９０９）。以降ステップＥ９１０からステップＥ９１６については、図７におけるステップＥ７０９からステップＥ７１５と同様であるので説明を省略する。
【００８４】
このように、本実施の形態によれば、ゲートキーパ装置が発呼装置からの参加要求（ＡＲＱ）メッセージに応答して、着信装置における接続不可状態に応じたそれぞれの転送先を発呼装置に通知するため、発呼装置は、着信装置から接続できない旨の応答とその接続不可状態の理由表示値を受けて、ゲートキーパ装置から受信した転送先を検索して着信転送先を決定することができる。また、発呼装置が着信転送先に接続するための参加要求（ＡＲＱ）メッセージに載せて着信転送であることと着信転送元をゲートキーパ装置に通知するため、ゲートキーパ装置は、着信転送元を認識して、発信規制処理、課金処理、番号付加又は削除の処理などのテレフォニーサービス処理を着信転送元に対して行うことができる。さらに、着信装置の接続不可状態は、電話中、着信に対する無応答によるタイムオーバー、無線端末装置が圏外であるなどに区別して管理されているため、着信転送先もそれぞれ別の通信端末装置とすることができる。
【００８５】
また、本実施の形態によれば、ゲートキーパ装置が転送回数を計数することにより、ひとつの呼出に対して着信転送が繰り返して行われないよう転送回数に制限を設けることができる。さらに、制限した場合の着信転送先を最初の着信転送元とすることにより、最初に呼び出した通信端末装置に対して最後に再び接続動作を行うことができる。なお、本実施の形態では、ゲートキーパ装置が転送回数を計数して制限する構成としたが、発呼する通信端末装置に転送回数カウンタを設けて転送回数を計数して制限する構成としてもよい。
【００８６】
【発明の効果】
以上説明したように、本発明によれば、ＴＴＣ標準ＪＴ−Ｈ３２３又はＩＴＵ−Ｔ勧告Ｈ．３２３に基づくマルチメディア通信システムにおいて、着信転送動作が行われた時に、番号による発信規制、課金、番号付加又は削除等のテレフォニーサービスを着信転送元に対して行うことができる通信制御システムを提供することができる。
【図面の簡単な説明】
【図１】本発明の一実施の形態に係る通信制御システムの構成の一例を示すシステム図
【図２】本発明の一実施の形態に係るゲートキーパ装置の構成を示すブロック図
【図３】本実施の形態に係るゲートキーパ装置のＩＰアドレス記憶部の内容の一例を説明するための図
【図４】本実施の形態に係るゲートキーパ装置の着信転送先記憶部の内容の一例を説明するための図
【図５】本発明の一実施の形態に係る通信端末装置の構成を示すブロック図
【図６】本実施の形態に係る通信端末装置の転送先受信部の内容の一例を説明するための図
【図７】本実施の形態に係る通信制御システムの動作を説明するためのシーケンス図
【図８】本実施の形態に係る通信制御システムの動作を説明するためのシーケンス図
【図９】本実施の形態に係る通信制御システムの動作を説明するためのシーケンス図
【図１０】本実施の形態に係るゲートキーパ装置の動作を説明するためのフローチャート
【図１１】本実施の形態に係る通信端末装置の動作を説明するためのフローチャート
【図１２】従来のマルチメディア通信システムの構成の一例を示すシステム図
【図１３】従来のマルチメディア通信システムの動作を説明するためのシーケンス図
【図１４】従来のマルチメディア通信システムの動作を説明するためのシーケンス図
【符号の説明】
１００  通信制御システム
１０１  ゲートキーパ装置
１０２、１０３、１０４、１０５、１０６  通信端末装置
２０１  ＣＰＵ
２０２  ＴＣＰ／ＩＰ制御部
２０３  呼接続制御送受信部
２０４  ＩＰアドレス記憶部
２０５  着信転送先記憶部
２０６  着信転送先通知部
２０７  テレフォニーサービス処理部
２０８  転送回数カウンタ
２０７１  発信規制部
２０７２  課金部
２０７３  番号付加削除部
５０１  ＣＰＵ
５０２  ＴＣＰ／ＩＰ制御部
５０３  転送先受信部
５０４  接続不可状態応答受信部
５０５  転送決定部
５０６  着信転送元通知部
５０７  転送回数受信部
１０  マルチメディア通信システム
１１  ゲートキーパ装置
１２、１３、１４  エンドポイント装置
【図１】
2005026934.tif 000003
【図２】
2005026934.tif 000004
【図３】
2005026934.tif 000005
【図４】
2005026934.tif 000006
【図５】
2005026934.tif 000007
【図６】
2005026934.tif 000008
【図７】
2005026934.tif 000009
【図８】
2005026934.tif 000010
【図９】
2005026934.tif 000011
【図１０】
2005026934.tif 000012
【図１１】
2005026934.tif 000013
【図１２】
2005026934.tif 000014
【図１３】
2005026934.tif 000015
【図１４】
2005026934.tif 000016